(57)【要約】【課題】  デジタル信号ケーブルを介して入力されるデジタル信号に対する調整を適切に行うことが可能な画像表示装置等を提供すること。【解決手段】  プロジェクター１００が、デジタル信号ケーブルを介して外部装置からデジタル信号が入力されるデジタル信号入力部１１０と、デジタル信号に関する調整を行う調整部１３０と、当該調整に関する設定情報が入力される情報入力部１６０と、デジタル信号に基づく画像を表示するとともに、デジタル信号の入力有無にかかわらず、設定情報の入力を受け付ける設定画像を表示する投写部１９０を含んで構成される。【選択図】  図５
2012047842.tif 000002
【特許請求の範囲】
【請求項１】
デジタル信号ケーブルを介して外部装置からデジタル信号が入力されるデジタル信号入力部と、
前記デジタル信号に関する調整を行う調整部と、
前記調整に関する設定情報が入力される情報入力部と、
前記デジタル信号に基づく画像を表示するとともに、前記デジタル信号の入力有無にかかわらず、前記設定情報の入力を受け付ける設定画像を表示する表示部と、
を含む画像表示装置。
【請求項２】
請求項１に記載の画像表示装置において、
前記画像表示装置から前記デジタル信号ケーブルが抜かれたことを検出するとともに、前記デジタル信号ケーブルが抜かれたことを検出すると前記設定画像を前記表示部に表示させる制御部を含む画像表示装置。
【請求項３】
請求項１または請求項２に記載の画像表示装置において、
前記情報入力部は、前記設定画像の表示要求情報が入力され、
前記表示部は、前記表示要求情報の入力に応じて前記設定画像を表示する、
画像表示装置。
【請求項４】
請求項１〜３のいずれかに記載の画像表示装置において、
設定値が異なる複数の設定データを記憶する記憶部を含み、
前記設定画像は、前記設定情報の入力として、前記設定データの選択を受け付ける選択画像を含み、
前記調整部は、選択された前記設定データの設定値に基づき、前記デジタル信号に関する調整を行う、
画像表示装置。
【請求項５】
請求項１〜４のいずれかに記載の画像表示装置において、
前記調整部は、イコライザー調整を行う、
画像表示装置。
【請求項６】
請求項１〜５のいずれかに記載の画像表示装置において、
前記設定画像を投写するプロジェクターとして形成された画像表示装置。
【請求項７】
デジタル信号ケーブルを介して外部装置からデジタル信号が入力される画像表示装置が、
前記デジタル信号の入力有無にかかわらず、前記デジタル信号の調整に関する設定情報の入力を受け付ける設定画像を表示し、
前記設定情報が入力され、
前記設定情報に基づき、前記デジタル信号に関する調整を行い、
前記調整を行ったデジタル信号に基づく画像を表示する
画像表示方法。
【発明の詳細な説明】
【技術分野】
【０００１】
本発明は、画像表示装置および画像表示方法に関する。
【背景技術】
【０００２】
ＤＶＤプレーヤー等の外部装置とプロジェクター等の画像表示装置とがＨＤＭＩケーブル等のデジタル信号ケーブルを介して接続された状態において、様々な要因によって画像が全く表示されない、画像のちらつき、画像の一部にノイズが生じる等の不具合が発生する。例えば、画像表示装置が表示側の受信性能に適合した画像信号を選択していない、画像表示装置におけるコピープロテクト機能が誤作動した、外部装置からの画像信号の品質劣化、ＨＤＭＩケーブルの品質劣化、画像表示装置の受信回路が十分な性能を有していない等の要因によって不具合が発生する。例えば、特開２００７−１４０１８０号公報では、種別を判定できない画像信号が入力された場合に、ユーザーの要求によらないでユーザー設定画像を表示し、ユーザーに入力画像信号の解像度等を設定させ、ユーザー設定情報に応じて設定データを更新して当該設定データを用いて画像信号に基づく画像を表示するプロジェクターが記載されている。
【先行技術文献】
【特許文献】
【０００３】
【特許文献１】特開２００７−１４０１８０号公報
【発明の概要】
【発明が解決しようとする課題】
【０００４】
しかし、ユーザーの要求によらないでユーザー設定画像を表示する手法の場合、画像表示装置は、画像信号の種別を適切に判定できていても、信号種別の判定に使用する計測部の対象外の要素例えば、画像信号等が正常に受信できない場合、画像の一部にノイズが発生する等の事態が発生することにより、適切な画像を表示できないことがある。また、入力画像信号に基づく画像とユーザー設定画像を重ねて表示する手法の場合、適切な調整が行われていない状態では、入力画像信号が不安定な状態正常受信できたり、できなかったり、受信できても同期信号の周波数が不安定等になるため、画像表示装置は、ユーザー設定画像すら正常に表示できず、ユーザーがユーザー設定画像において調整を行えないといった事態が発生することがある。
【０００５】
本発明にかかるいくつかの態様は、上記課題を解決することにより、デジタル信号ケーブルを介して入力されるデジタル信号に対する調整を適切に行うことが可能な画像表示装置および画像表示方法を提供するものである。
【課題を解決するための手段】
【０００６】
本発明の態様の１つである画像表示装置は、デジタル信号ケーブルを介して外部装置からデジタル信号が入力されるデジタル信号入力部と、前記デジタル信号に関する調整を行う調整部と、前記調整に関する設定情報が入力される情報入力部と、前記デジタル信号に基づく画像を表示するとともに、前記デジタル信号の入力有無にかかわらず、前記設定情報の入力を受け付ける設定画像を表示する表示部と、を含むことを特徴とする。
【０００７】
また、本発明の態様の１つである画像表示方法は、デジタル信号ケーブルを介して外部装置からデジタル信号が入力される画像表示装置が、前記デジタル信号の入力有無にかかわらず、前記デジタル信号の調整に関する設定情報の入力を受け付ける設定画像を表示し、前記設定情報が入力され、前記設定情報に基づき、前記デジタル信号に関する調整を行い、前記調整を行ったデジタル信号に基づく画像を表示することを特徴とする。
【０００８】
本発明によれば、画像表示装置は、デジタル信号の入力有無にかかわらず、デジタル信号の調整に関する設定情報の入力を受け付ける設定画像を表示することにより、デジタル信号の信号劣化やノイズ等の波形品質に関係なく、ユーザーに設定情報を入力させることができるため、デジタル信号ケーブルを介して入力されるデジタル信号に対する調整を適切に行うことができる。
【０００９】
また、前記画像表示装置は、前記画像表示装置から前記デジタル信号ケーブルが抜かれたことを検出するとともに、前記デジタル信号ケーブルが抜かれたことを検出すると前記設定画像を前記表示部に表示させる制御部を含んでもよい。これによれば、画像表示装置は、デジタル信号ケーブルが抜かれた状態で設定画像を表示することにより、デジタル信号の信号劣化やノイズ等の波形品質に関係なく、設定画像を表示することができるため、デジタル信号ケーブルを介して入力されるデジタル信号に対する調整を適切に行うことができる。
【００１０】
また、前記情報入力部は、前記設定画像の表示要求情報が入力され、前記表示部は、前記表示要求情報の入力に応じて前記設定画像を表示してもよい。これによれば、画像表示装置は、ユーザーの要求に応じて設定画像を表示することができる。
【００１１】
また、前記画像表示装置は、設定値が異なる複数の設定データを記憶する記憶部を含み、前記設定画像は、前記設定情報の入力として、前記設定データの選択を受け付ける選択画像を含み、前記調整部は、選択された前記設定データの設定値に基づき、前記デジタル信号に関する調整を行ってもよい。これによれば、画像表示装置は、ユーザーに設定値を誤って設定させることなく、デジタル信号に対する調整を行うことができる。
【００１２】
また、前記調整部は、イコライザー調整を行ってもよい。これによれば、画像表示装置は、イコライザー調整を行うことにより、デジタル信号に対する調整を適切に行うことができる。
【００１３】
また、前記画像表示装置は、前記設定画像を投写するプロジェクターとして形成されてもよい。これによれば、画像表示装置は、様々な長さのデジタル信号ケーブルが接続されるプロジェクターとして形成されている場合であっても、デジタル信号に対する調整を適切に行うことができる。
【図面の簡単な説明】
【００１４】
【図１】第１の実施例における通常状態でのプロジェクターの投写状況を示す図である。
【図２】第１の実施例における天吊り状態でのプロジェクターの投写状況を示す図である。
【図３】第１の実施例におけるプロジェクターの斜視図である。
【図４】第１の実施例におけるプロジェクターの背面図である。
【図５】第１の実施例におけるプロジェクターの機能ブロック図である。
【図６】第１の実施例におけるプロジェクターのハードウェアブロック図である。
【図７】第１の実施例における画像表示手順を示すフローチャートである。
【図８】第１の実施例における設定画像の一例を示す図である。
【図９】第１の実施例における設定画像の他の一例を示す図である。
【図１０】第２の実施例におけるプロジェクターの機能ブロック図である。
【図１１】第２の実施例における画像表示手順を示すフローチャートである。
【発明を実施するための形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における通常状態でのプロジェクター１００の投写状況を示す図である。また、図２は、第１の実施例における天吊り状態でのプロジェクター１００の投写状況を示す図である。また、図３は、第１の実施例におけるプロジェクター１００の斜視図であり、図４は、第１の実施例におけるプロジェクター１００の背面図である。プロジェクター１００は、背面にＨＤＭＩ端子９１０、９１１、音声入力端子９１３、９１４、Ｓ−ビデオ入力端子９１５、ビデオ入力端子９１６、ミニＤ−Ｓｕｂ１５ｐｉｎ端子９１７等が設けられている。例えば、図１に示すように、プロジェクター（画像表示装置）１００は、床やテーブル等に置かれた状態で、ＨＤＭＩ端子９１０に接続されたＨＤＭＩケーブル（デジタル信号ケーブル）３００を介してＤＶＤプレーヤー（外部装置）２００と接続され、ＤＶＤプレーヤー２００からの画像信号（デジタル信号。例えば、ＲＧＢ信号、輝度色差信号、同期信号等）に基づき、スクリーン１０に画像２０を投写する。一方、図２に示すように、プロジェクター１００が天井に金具３０で固定される天吊り状態では、通常状態と比べてＨＤＭＩケーブル３０１の長さが長くなる。また、ＨＤＭＩケーブル３００、３０１の品質や適応バージョンには様々なものがある。
【００１７】
このように、ＨＤＭＩケーブル３００、３０１の長さや品質等の影響により、プロジェクター１００に入力される画像信号の減衰等によって画像信号の波形品質が劣化し、画像２０が適切に表示されない場合がある。画像２０が適切に表示されない場合、ユーザーは、プロジェクター１００に対し、設定を変更するための設定画像の表示要求を行う。しかし、設定画像は、入力画像信号に基づく画像に重ねて表示される画像であるため、画像信号の波形品質が劣化した状態では、設定画像も適切に表示されない。本実施例のプロジェクター１００は、設定画像の表示時にホットプラグ検出信号の出力を停止することにより、ＨＤＭＩケーブル３００、３０１が仮想的に抜かれた状態にし、当該状態で設定画像を表示する機能を有している。また、本実施例のプロジェクター１００は、ＨＤＭＩケーブル３００、３０１が抜かれたことを検出すると、設定画像を表示する機能を有している。次に、このような機能を有するプロジェクター１００の機能ブロックについて説明する。
【００１８】
図５は、第１の実施例におけるプロジェクター１００の機能ブロック図である。プロジェクター１００は、ＨＤＭＩケーブル３００、３０１を介してデジタル形式の画像信号が入力されるデジタル信号入力部１１０と、当該画像信号に対する調整を行う調整部１３０と、調整された画像信号に基づく画像等を生成する画像生成部１４０と、当該画像等を投写する投写部（表示部）１９０と、投写部１９０等に電力を供給する電源部１８０を含んで構成されている。また、プロジェクター１００は、ユーザーによる操作情報等が入力される情報入力部１６０と、調整部１３０等を制御する制御部１７０と、ホットプラグ検出信号をＤＶＤプレーヤー２００に出力する検出部１５０と、記憶部１２０を含んで構成されている。また、記憶部１２０は、設定画像等を生成するための画像データ１２２、調整部１３０の設定値を示す設定データ１２４、１２５、ユーザーの設定を示すユーザー設定データ１２６等を記憶している。なお、デジタル信号入力部１１０、調整部１３０、検出部１５０、情報入力部１６０、制御部１７０は、設定画像の表示時にホットプラグ検出信号の出力を停止する制御を行う制御装置１０６としても機能する。
【００１９】
図６は、第１の実施例におけるプロジェクター１００のハードウェアブロック図であり、各部の接続状態を模式的に表している。例えば、デジタル信号入力部１１０は、ＨＤＭＩ端子９１０、９１１、セレクター９１２等、記憶部１２０はＲＡＭ９２０、フラッシュＲＯＭ９２２等、調整部１３０は、イコライザー回路９３２、サンプリング回路９３４、デコーダー回路９３６等を含む受信回路９３０等、画像生成部１４０は画像処理回路９４０等、検出部１５０、制御部１７０はＣＰＵ９７０等、情報入力部１６０はリモコン（リモートコントローラー）からの赤外線信号を受信する受信ユニット９６０、操作ボタン等によって構成される操作パネル９６２等、電源部１８０は電源９８０等、投写部１９０はランプ駆動回路９９０、ランプ９９１、照明光学系９９２、液晶駆動回路９９３、液晶ライトバルブ９９４、投写レンズ９９５等を用いて実装されてもよい。ランプ駆動回路９９０は電源９８０からの電力を、ランプ９９１を点灯させるのに必要な駆動電力に変換して出力する。なお、図６では、説明を簡単にするため、電源９８０から各部に電力を供給する電源ラインを省略している。また、図６には２つのＨＤＭＩ端子９１０、９１１のみが記載されているが、実際には、プロジェクター１００は、Ｓ−ビデオ入力端子９１５等の他の端子も有している。また、ＨＤＭＩ端子９１０、９１１は１つであってもよい。
【００２０】
次に、本実施例における画像表示手順について説明する。図７は、第１の実施例における画像表示手順を示すフローチャートである。画像生成部１４０は、調整部１３０によって調整された画像信号に基づき、画像２０を生成し、投写部１９０は、画像２０を投写する（ステップＳ１）。ユーザーは、例えば、投写された画像２０の一部にノイズが発生していると判断した場合、プロジェクター１００の操作パネル９６２またはリモコン（図示せず）を操作して設定画像の表示要求を行う。操作パネル９６２およびリモコンは、後述する設定画像における各種設定項目の調整や選択を行うために必要な上下左右の方向に対応する矢印キー、決定キー等を備えている。制御部１７０は、情報入力部１６０からの情報（ユーザーによる表示要求情報）に基づき、設定画像の表示要求があったかどうかを判定する（ステップＳ２）。設定画像の表示要求がなかった場合は正常に表示されていることになるため、プロジェクター１００は、初期制御用の処理を終了し、通常の画像処理を実行する。設定画像の表示要求があった場合、制御部１７０は、画像生成部１４０を制御し、画像データ１２２に基づく設定画像を生成させる。投写部１９０は、当該設定画像を投写する（ステップＳ３）。
【００２１】
図８は、第１の実施例における設定画像４００の一例を示す図である。また、図９は、第１の実施例における設定画像４０１の他の一例を示す図である。設定画像４００、４０１は、ユーザーによる設定情報の入力を受け付ける画像である。例えば、設定画像４００は、「画質」、「映像」、「設定」、「メモリー」、「ネットワーク」、「情報」、「初期化」のメニューで構成されるトップメニュー画像４１０と、「設定」で「入力信号」が選択された場合に表示される入力信号に関するサブメニュー画像４２０と、操作パネル９６２またはリモコンのキー操作と当該キー操作に対する応答内容を示す操作ガイド画像４３０を含む。また、設定画像４０１は、設定データ１２４、１２５の選択を受け付ける選択画像である。設定画像４０１は、サブメニュー画像４２０で「ＨＤＭＩ１  ＥＱ  設定」または「ＨＤＭＩ２  ＥＱ  設定」が選択された場合に表示される画像であり、イコライザー設定画像４４０と、操作ガイド画像４３０を含む。
【００２２】
なお、「ＨＤＭＩ１  ＥＱ  設定  １」はＨＤＭＩ端子９１０からの入力信号に対するイコライザー設定（デジタル信号に関する調整）として設定データ１２４に対応する設定１が選択されていることを示し、「ＨＤＭＩ２  ＥＱ  設定  １」はＨＤＭＩ端子９１１からの入力信号に対するイコライザー設定として設定データ１２４に対応する設定１が選択されていることを示す。例えば、ユーザーは、図９に示す設定画像４０１が表示された状態で、操作パネル９６２またはリモコンの下向き矢印キーを押して設定２を選択し、操作パネル９６２またはリモコンのメニューキーを押して終了することにより、ＨＤＭＩ端子９１０に対するイコライザー設定を設定２に変更することができる。なお、設定画像４００、４０１はＯＳＤ(On Screen Display)画像であり、設定画像４００は画像２１のＯＳＤ画像として表示され、設定画像４０１は画像２２のＯＳＤ画像として表示される。
【００２３】
また、制御部１７０は、設定画像４００を生成させた後、デジタル信号入力部１１０からの情報に基づき、ＨＤＭＩケーブル３００、３０１がＨＤＭＩ端子９１０、９１１から抜かれたかどうかを判定する（ステップＳ４）。例えば、制御部１７０は、ＴＭＤＳ(Transition Minimized Differential Signaling)信号がデジタル信号入力部１１０に入力されていないことを検出することにより、ＨＤＭＩケーブル３００、３０１がＨＤＭＩ端子９１０、９１１から抜かれたと判定することができる。
【００２４】
ところで、設定画像４００が適切に表示されている場合は問題ないが、ステップＳ３の設定画像４００の投写によっても設定画像４００が表示されないことも想定される。このような場合、ユーザーは、ＨＤＭＩケーブル３００、３０１をＨＤＭＩ端子９１０、９１１から抜くことにより、入力画像信号の影響を受けない状態で、設定画像４００をプロジェクター１００に投写させる。
【００２５】
ＨＤＭＩケーブル３００、３０１がＨＤＭＩ端子９１０、９１１から抜かれた場合、制御部１７０は、画像生成部１４０を制御し、入力画像信号の影響を受けない状態で、画像データ１２２に基づく設定画像４００を生成させる。投写部１９０は、設定画像４００を投写する（ステップＳ５）。
【００２６】
ステップＳ３またはステップＳ５の処理によって設定画像４０１が表示された状態で、制御部１７０は、情報入力部１６０からの情報に基づき、設定の変更があるかどうかを判定する（ステップＳ６）。設定の変更があった場合、制御部１７０は、ユーザー設定データ１２６を更新する（ステップＳ７）。具体的には、例えば、ユーザーが、図９に示す設定画像４０１が表示された状態で、操作パネル９６２またはリモコンの下向き矢印キーを押して設定２を選択し、操作パネル９６２またはリモコンのメニューキーを押して終了する操作を行った場合、制御部１７１は、ＨＤＭＩ端子９１０について設定データ１２５が適用されるようにユーザー設定データ１２６を更新する。
【００２７】
ユーザー設定データ１２６の更新後、制御部１７０は、検出部１５０を制御してホットプラグ検出信号の出力を停止させる（ステップＳ８）。なお、ホットプラグ検出信号は、ＨＤＭＩ規格における信号であり、ＤＶＤプレーヤー２００からの電源信号に応じてプロジェクター１００が出力する信号である。制御部１７０は、ユーザー設定データ１２６で示される設定に応じて設定データ１２４または設定データ１２５を参照して調整部１３０に当該データを反映し、デジタル信号入力部１１０からの入力画像信号を調整させる（ステップＳ９）。なお、この設定データは、例えば、イコライザー回路９３２におけるゲイン値等である。
【００２８】
当該設定データの反映が終了後、制御部１７０は、検出部１５０を制御してホットプラグ検出信号の出力を再開させる（ステップＳ１０）。これにより、プロジェクター１００は、ＤＶＤプレーヤー２００等の外部装置からの画像信号の再出力を促し、調整部１３０に新しく反映された設定データ１２４または設定データ１２５に基づき入力画像信号を調整させ、画像２０を再生成し、投写する。
【００２９】
以上のように、本実施例によれば、プロジェクター１００は、表示要求情報が入力され、調整部１３０に適用する設定を変更し、ホットプラグ検出信号を出力させないように検出部１５０を制御することにより、仮想的にＨＤＭＩケーブル３００、３０１が抜かれた状態にすることができ、調整時の不安定な状態でのＨＤＣＰ誤認証等を回避することができるため、より安定した状態でデジタル信号ケーブルを介して入力されるデジタル信号に対する調整を適切に行うことができる。
【００３０】
また、本実施例によれば、プロジェクター１００は、ユーザーの要求に応じて設定画像４００、４０１を表示することができるため、プロジェクター１００自身が適切な表示が行われているか判断できない場合であっても、ユーザーにとって適切な画像を表示することができる。
【００３１】
また、本実施例によれば、プロジェクター１００は、設定を選択させる設定画像４０１を表示して選択させることにより、ユーザーに設定値を誤って設定させることなく、デジタル信号に対する調整を行うことができる。また、本実施例によれば、プロジェクター１００は、イコライザー調整を行うことにより、デジタル信号に対する調整を適切に行うことができる。
【００３２】
また、本実施例によれば、プロジェクター１００は、様々な長さのＨＤＭＩケーブル３００、３０１が接続される状況であっても、長さや品質に適した調整を行って画像２０を表示することができる。また、本実施例によれば、プロジェクター１００は、ＨＤＭＩ端子９１０、９１１や受信回路９３０の特性に応じた調整を行うことができる。
【００３３】
（第２の実施例）
第１の実施例では、プロジェクター１００は、ホットプラグ検出信号の出力を停止したが、ホットプラグ検出信号の出力を停止しなくてもよい。また、第１の実施例では、プロジェクター１００は、ＨＤＭＩケーブル３００、３０１が抜かれたことを検出して設定画像４００を投写したが、当該検出を行わないで設定画像４００を投写してもよい。
【００３４】
図１０は、第２の実施例におけるプロジェクター１０１の機能ブロック図である。プロジェクター１０１は、検出部１５１と、検出部１５１を制御しない制御部１７１を含んで構成されている。検出部１５１、制御部１７１以外の構成は第１の実施例と同様であるため、説明を省略する。
【００３５】
図１１は、第２の実施例における画像表示手順を示すフローチャートである。画像生成部１４０は、調整部１３０によって調整された画像信号に基づき、画像２０を生成し、投写部１９０は、画像２０を投写する（ステップＳ１１）。制御部１７１は、情報入力部１６０からの情報に基づき、設定画像４００の表示要求があったかどうかを判定する（ステップＳ１２）。設定画像４００の表示要求があった場合、制御部１７１は、画像生成部１４０に設定画像４００を生成させ、投写部１９０は、設定画像４００を投写する（ステップＳ１３）。
【００３６】
設定画像４０１が表示された状態で、制御部１７１は、情報入力部１６０からの情報に基づき、設定の変更があるかどうかを判定する（ステップＳ１４）。設定の変更があった場合、制御部１７０は、ユーザー設定データ１２６を更新する（ステップＳ１５）。制御部１７１は、ユーザー設定データ１２６で示される設定に応じて設定データ１２４または設定データ１２５を参照して調整部１３０を制御し、デジタル信号入力部１１０からの入力画像信号を調整させる（ステップＳ１６）。
【００３７】
以上のように、本実施例によれば、プロジェクター１０１は、デジタル信号の入力有無にかかわらず、デジタル信号の調整に関する設定情報の入力を受け付ける設定画像４００、４０１を表示することにより、デジタル信号の信号劣化にノイズ等の波形品質に関係なく、ユーザーに設定情報を入力させることができるため、デジタル信号ケーブルを介して入力されるデジタル信号に対する調整を適切に行うことができる。
【００３８】
（その他の実施例）
なお、本発明の適用は上述した実施例に限定されず、変形が可能である。例えば、デジタル信号ケーブルは、ＨＤＭＩケーブル３００、３０１に限定されず、ＤＶＩ(Digital Visual Interface)ケーブル等であってもよい。また、デジタル信号は、画像信号に限定されず、音声信号であってもよいし、画像信号と音声信号を含む信号であってもよい。また、設定画像４００、４０１で設定させる項目は、イコライザー回路９３２の設定に限定されず、受信回路９３０のイコライザー回路９３２以外のパラメーター値等であってもよい。また、ユーザーによる当該パラメーター値等の入力を受け付ける設定画像が採用されてもよい。
【００３９】
また、ＨＤＭＩケーブル３００、３０１が抜かれたことを検出する手法は、上述した手法に限定されず、例えば、ＨＤＭＩ端子９１０、９１１における物理的な接触を検出する手法等であってもよい。また、画像表示装置はプロジェクター１００、１０１に限定されず、例えば、テレビ、液晶モニター等であってもよい。また、制御装置１０６が実装される装置は画像表示装置に限定されず、例えば、ハードディスクレコーダー、セットトップボックス、ＡＶアンプ等であってもよい。また、外部装置は、ＤＶＤプレーヤー２００に限定されず、例えば、ハードディスクレコーダー、セットトップボックス、ＰＣ(Personal Computer)、ゲーム装置等であってもよい。
【００４０】
また、プロジェクター１００、１０１の有するコンピューターは、情報記憶媒体に記憶されたプログラムを読み取って制御部１７０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４１】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプ９９１の代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００４２】
１０  スクリーン、２０〜２２  画像、３０  金具、１００、１０１  プロジェクター（画像表示装置）、１０６  制御装置、１１０  デジタル信号入力部、１２０  記憶部、１２２  画像データ、１２４、１２５  設定データ、１２６  ユーザー設定データ、１３０  調整部、１４０  画像生成部、１５０、１５１  検出部、１６０  情報入力部、１７０、１７１  制御部、１８０  電源部、１９０  投写部（表示部）、２００  ＤＶＤプレーヤー（外部装置）、３００、３０１  ＨＤＭＩケーブル（デジタル信号ケーブル）、４００、４０１  設定画像、４１０  トップメニュー画像、４２０  サブメニュー画像、４３０  操作ガイド画像、４４０  イコライザー設定画像、９１０、９１１  ＨＤＭＩ端子、９１２  セレクター、９１３、９１４  音声入力端子、９１５  Ｓ−ビデオ入力端子、９１６  ビデオ入力端子、９１７  ミニＤ−Ｓｕｂ１５ｐｉｎ端子、９２０  ＲＡＭ、９２２  フラッシュＲＯＭ、９３０  受信回路、９３２  イコライザー回路、９３４  サンプリング回路、９３６  デコーダー回路、９４０  画像処理回路、９６０  受信ユニット、９６２  操作パネル、９７０  ＣＰＵ、９８０  電源、９９０  ランプ駆動回路、９９１  ランプ、９９２  照明光学系、９９３  液晶駆動回路、９９４  液晶ライトバルブ、９９５  投写レンズ
【図１】
2012047842.tif 000003
【図２】
2012047842.tif 000004
【図３】
2012047842.tif 000005
【図４】
2012047842.tif 000006
【図５】
2012047842.tif 000007
【図６】
2012047842.tif 000008
【図７】
2012047842.tif 000009
【図１０】
2012047842.tif 000010
【図１１】
2012047842.tif 000011
【図８】
2012047842.tif 000012
【図９】
2012047842.tif 000013